(57)【要約】      （修正有）【課題】被点呼者の顔の一部を点呼執行者に従来より容易に確認させることができる点呼システムを提供する。【解決手段】点呼システムは、乗物の運転者の点呼を行う点呼執行者によって使用されるサーバー装置２０と、運転者によって使用されるクライアント装置とを備えており、クライアント装置は、運転者の画像を撮影するビデオカメラ２３と、ビデオカメラ２３によって撮影された画像をサーバー装置２０に送信する通信部２７とを備えており、サーバー装置２０は、クライアント装置の通信部２７によって送信された画像を受信する通信部２７と、通信部２７によって受信された画像から運転者の顔の一部の画像である顔一部画像を画像認識によって抽出するＰＣ２１と、ＰＣ２１によって抽出された顔一部画像を表示するモニタ２５とを備えている。【選択図】図２
2012141651.tif 000002
【特許請求の範囲】
【請求項１】
点呼を行う点呼執行者によって使用される点呼執行装置と、前記点呼が行われる被点呼者によって使用される被点呼装置とを備えており、
前記被点呼装置は、前記被点呼者の画像を撮影する画像撮影手段と、前記画像撮影手段によって撮影された画像を前記点呼執行装置に送信する画像送信手段とを備えており、
前記点呼執行装置は、前記画像送信手段によって送信された画像を受信する画像受信手段と、前記画像受信手段によって受信された画像から前記被点呼者の顔の一部の画像である顔一部画像を画像認識によって抽出する顔一部抽出手段と、前記顔一部抽出手段によって抽出された顔一部画像を表示する画像表示手段とを備えていることを特徴とする点呼システム。
【請求項２】
前記画像表示手段は、前記被点呼者の顔を含んだ画像である顔画像を前記顔一部画像とは別に表示し、前記顔一部画像を前記顔画像の中の対応する部分よりも拡大して表示することを特徴とする請求項１に記載の点呼システム。
【請求項３】
前記顔一部画像は、前記被点呼者の目を含んだ画像であることを特徴とする請求項１または請求項２に記載の点呼システム。
【請求項４】
前記顔一部画像は、前記被点呼者の目の周辺を含んだ画像であることを特徴とする請求項３に記載の点呼システム。
【請求項５】
点呼を行う点呼執行者によって使用される点呼執行装置と、前記点呼が行われる被点呼者によって使用される被点呼装置とを備えており、前記被点呼者の画像を撮影する画像撮影手段と、前記画像撮影手段によって撮影された画像を前記点呼執行装置に送信する画像送信手段とを前記被点呼装置が備えている点呼システムの前記点呼執行装置を機能させるための点呼執行装置用プログラムであって、
前記画像送信手段によって送信された画像を受信する画像受信手段、前記画像受信手段によって受信された画像から前記被点呼者の顔の一部の画像である顔一部画像を画像認識によって抽出する顔一部抽出手段、および、前記顔一部抽出手段によって抽出された顔一部画像を表示する画像表示手段として前記点呼執行装置を機能させることを特徴とする点呼執行装置用プログラム。
【発明の詳細な説明】
【技術分野】
【０００１】
本発明は、点呼執行者による被点呼者に対する点呼を支援することができる点呼システムに関する。
【背景技術】
【０００２】
従来の点呼システムとしては、点呼執行者である運行管理者によって使用されるコンピュータと、被点呼者である自動車の運転者によって使用されるコンピュータとを備えており、運転者によって使用されるコンピュータは、運転者の画像を撮影する撮像装置と、運行管理者によって使用されるコンピュータに撮像装置によって撮影された画像を送信する第一のデータ送受信装置とを備えており、運行管理者によって使用されるコンピュータは、第一のデータ送受信装置によって送信された画像を受信する第二のデータ送受信装置と、第二のデータ送受信装置によって受信された画像を表示する画像表示装置とを備えている自動車運行管理装置が知られている（例えば、特許文献１参照。）。この自動車運行管理装置は、遠隔地にいる運転者の健康状態を運行管理者に判断させるために、画像表示装置に表示される画像によって運転者の顔色や表情などの外観を運行管理者に確認させることができる。
【先行技術文献】
【特許文献】
【０００３】
【特許文献１】特開２００７−０５８２９５号公報
【発明の概要】
【発明が解決しようとする課題】
【０００４】
ヒトの健康状態は、目の充血など、顔の一部に顕著に現れる場合がある。そのため、ヒトは、他人の顔を漠然と眺めるだけではなく、顔の一部を注目することによって、その他人の健康状態を的確に判断することができる。
【０００５】
しかしながら、従来の自動車運行管理装置は、画像表示装置に表示される画像によって運転者の外観を運行管理者に確認させることができるが、運転者の顔の一部の重点チェック部位を運行管理者に注目させることには適していない。
【０００６】
そこで、本発明は、被点呼者の顔の一部を点呼執行者に従来より容易に確認させることができる点呼システムを提供することを目的とする。
【課題を解決するための手段】
【０００７】
本発明の点呼システムは、点呼を行う点呼執行者によって使用される点呼執行装置と、前記点呼が行われる被点呼者によって使用される被点呼装置とを備えており、前記被点呼装置は、前記被点呼者の画像を撮影する画像撮影手段と、前記画像撮影手段によって撮影された画像を前記点呼執行装置に送信する画像送信手段とを備えており、前記点呼執行装置は、前記画像送信手段によって送信された画像を受信する画像受信手段と、前記画像受信手段によって受信された画像から前記被点呼者の顔の一部の画像である顔一部画像を画像認識によって抽出する顔一部抽出手段と、前記顔一部抽出手段によって抽出された顔一部画像を表示する画像表示手段とを備えていることを特徴とする。
【０００８】
この構成により、本発明の点呼システムは、点呼執行装置が被点呼装置から受信した画像から被点呼者の顔の一部の画像を抽出して表示するので、被点呼者の顔の一部を点呼執行者に従来より容易に確認させることができる。
【０００９】
また、本発明の点呼システムの前記画像表示手段は、前記被点呼者の顔を含んだ画像である顔画像を前記顔一部画像とは別に表示し、前記顔一部画像を前記顔画像の中の対応する部分よりも拡大して表示しても良い。
【００１０】
この構成により、本発明の点呼システムは、顔画像の表示によって被点呼者の顔の全体を点呼執行者に確認させることができるとともに、顔画像の中の対応する部分よりも拡大して表示された顔一部画像によって被点呼者の顔の一部を点呼執行者に容易に確認させることができる。
【００１１】
また、本発明の点呼システムの前記顔一部画像は、前記被点呼者の目を含んだ画像であっても良い。
【００１２】
この構成により、本発明の点呼システムは、被点呼者の健康状態が顕著に現れ易い『目』を顔一部画像の表示によって点呼執行者に容易に確認させることができる。
【００１３】
また、本発明の点呼システムの前記顔一部画像は、前記被点呼者の目の周辺を含んだ画像であっても良い。
【００１４】
この構成により、本発明の点呼システムは、目と同様に、被点呼者の健康状態が顕著に現れ易い被点呼者の目の周辺を顔一部画像の表示によって点呼執行者に容易に確認させることができる。
【００１５】
本発明の点呼執行装置用プログラムは、点呼を行う点呼執行者によって使用される点呼執行装置と、前記点呼が行われる被点呼者によって使用される被点呼装置とを備えており、前記被点呼者の画像を撮影する画像撮影手段と、前記画像撮影手段によって撮影された画像を前記点呼執行装置に送信する画像送信手段とを前記被点呼装置が備えている点呼システムの前記点呼執行装置を機能させるための点呼執行装置用プログラムであって、前記画像送信手段によって送信された画像を受信する画像受信手段、前記画像受信手段によって受信された画像から前記被点呼者の顔の一部の画像である顔一部画像を画像認識によって抽出する顔一部抽出手段、および、前記顔一部抽出手段によって抽出された顔一部画像を表示する画像表示手段として前記点呼執行装置を機能させることを特徴とする。
【００１６】
この構成により、本発明の点呼執行装置用プログラムを実行する点呼執行装置は、被点呼装置から受信した画像から被点呼者の顔の一部の画像を抽出して表示するので、被点呼者の顔の一部を点呼執行者に従来より容易に確認させることができる。
【発明の効果】
【００１７】
本発明の点呼システムは、被点呼者の顔の一部を点呼執行者に従来より容易に確認させることができる。
【図面の簡単な説明】
【００１８】
【図１】本発明の一実施の形態に係る点呼システムのブロック図である。
【図２】図１に示すサーバー装置のブロック図である。
【図３】図１に示すクライアント装置のブロック図である。
【図４】図２に示すサーバー装置のモニタに表示される画面の例を示す図である。
【図５】点呼の要求をクライアント装置から受信したときの図２に示すサーバー装置のＰＣの動作のフローチャートである。
【図６】図２に示すサーバー装置のＰＣによる顔一部画像の抽出方法を示す図である。
【発明を実施するための形態】
【００１９】
以下、本発明の実施の形態について、図面を用いて説明する。
【００２０】
まず、本発明の一実施の形態に係る点呼システムの構成について説明する。
【００２１】
図１は、本実施の形態に係る点呼システム１０のブロック図である。
【００２２】
図１に示すように、点呼システム１０は、点呼を行う点呼執行者によって使用される本発明の点呼執行装置としてのサーバー装置２０と、点呼を受ける被点呼者である運転者によって使用されて運転者の様子を音および画像でサーバー装置２０に送信する本発明の被点呼装置としての複数台のクライアント装置４０とを備えている。サーバー装置２０およびクライアント装置４０は、インターネットなどのネットワーク網１１を介して互いに通信可能になっている。なお、点呼システム１０は、サーバー装置２０を複数台備えていても良いし、クライアント装置４０を１台しか備えていなくても良い。
【００２３】
点呼システム１０は、運送業者によって使用されるシステムであって、法令によって義務付けられている運転者の乗務前の点呼を支援するシステムである。サーバー装置２０は、運送業者の本部に設置されている。クライアント装置４０は、全国に例えば数百か所など点在する運送業者の支部にそれぞれ設置されている。
【００２４】
図２は、サーバー装置２０のブロック図である。
【００２５】
図２に示すように、サーバー装置２０は、サーバー装置２０全体を制御するコンピュータであるＰＣ（Ｐｅｒｓｏｎａｌ  Ｃｏｍｐｕｔｅｒ）２１と、音を入力するマイク２２と、画像を入力するビデオカメラ２３と、音を出力するスピーカ２４と、画像を出力するモニタ２５と、点呼執行者による操作を入力するキーボード、マウス、タッチパネルなどの操作部２６と、外部の装置と通信を行うための通信部２７とを備えている。場合によっては、音によって警報を行う警報器２８と、光によって点呼執行者を呼び出す呼出灯２９とを備えていても良い。ここで、通信部２７は、クライアント装置４０の後述する通信部４７によって送信された画像を受信するようになっており、本発明の画像受信手段を構成している。また、ＰＣ２１は、通信部２７によって受信された画像から運転者の顔の一部の画像である顔一部画像を画像認識によって抽出するようになっており、本発明の顔一部抽出手段を構成している。また、モニタ２５は、ＰＣ２１によって抽出された顔一部画像を表示するようになっており、本発明の画像表示手段を構成している。なお、サーバー装置２０は、警報器２８、呼出灯２９をそれぞれスピーカ２４、モニタ２５によって代用する構成であっても良い。
【００２６】
ＰＣ２１は、ＣＰＵ（Ｃｅｎｔｒａｌ  Ｐｒｏｃｅｓｓｉｎｇ  Ｕｎｉｔ）と、本発明の点呼執行装置用プログラムを含むプログラムやＯＳ（Ｏｐｅｒａｔｉｎｇ  Ｓｙｓｔｅｍ）各種のデータを予め記憶しているＨＤＤ（Ｈａｒｄ  Ｄｉｓｋ  Ｄｒｉｖｅ）と、ＣＰＵの作業領域として用いられるＲＡＭ（Ｒａｎｄｏｍ  Ａｃｃｅｓｓ  Ｍｅｍｏｒｙ）となどによって構成されている。ＣＰＵは、ＨＤＤに記憶されているプログラムを実行することによってＰＣ２１を動作させる演算処理装置である。ＲＡＭは、ＣＰＵによってプログラムが実行されるときにプログラムや各種のデータを一時的に記憶するようになっている。
【００２７】
図３は、クライアント装置４０のブロック図である。
【００２８】
図３に示すように、クライアント装置４０は、クライアント装置４０全体を制御するコンピュータであるＰＣ４１と、音を入力するマイク４２と、画像を入力するビデオカメラ４３と、音を出力するスピーカ４４と、画像を出力するモニタ４５と、運転者による操作を入力するキーボード、マウス、タッチパネルなどの操作部４６と、外部の装置と通信を行うための通信部４７とを備えている。ここで、ビデオカメラ４３は、運転者の画像を撮影するようになっており、本発明の画像撮影手段を構成している。また、通信部４７は、ビデオカメラ４３によって撮影された画像をサーバー装置２０に送信するようになっており、本発明の画像送信手段を構成している。
【００２９】
ＰＣ４１は、ＣＰＵと、プログラムや各種のデータを予め記憶しているＨＤＤと、ＣＰＵの作業領域として用いられるＲＡＭとなどによって構成されている。ＣＰＵは、ＨＤＤに記憶されているプログラムを実行することによってＰＣ４１を動作させる演算処理装置である。ＲＡＭは、ＣＰＵによってプログラムが実行されるときにプログラムや各種のデータを一時的に記憶するようになっている。
【００３０】
図４は、サーバー装置２０のモニタ２５に表示される画面の例を示す図である。
【００３１】
図４に示すように、モニタ２５に表示される画面には、現在点呼中の運転者の情報を表示する「運転者情報」領域６１と、現在点呼中の運転者の顔を含んだ画像である顔画像を表示する「運転者顔画像」領域６２と、現在点呼中の運転者の顔一部画像を表示する「顔一部画像」領域６３と、点呼執行者の顔を含んだ画像である顔画像を表示する「点呼執行者顔画像」領域６４とが含まれている。
【００３２】
「運転者情報」領域６１には、現在点呼中の運転者の点呼を要求してきたクライアント装置４０の識別情報を表示する「営業所、支部」領域６１ａと、現在点呼中の運転者の社員番号を表示する「社員番号」領域６１ｂと、現在点呼中の運転者の氏名を表示する「氏名」領域６１ｃとが含まれている。なお、「営業所、支部」領域６１ａ、「社員番号」領域６１ｂおよび「氏名」領域６１ｃに表示される情報は、運転者の識別情報であり、サーバー装置２０のＰＣ２１がクライアント装置４０から点呼の要求を受信したときに、点呼の要求とともにクライアント装置４０から送信されてくる情報である。
【００３３】
「運転者顔画像」領域６２に表示される顔画像は、クライアント装置４０のビデオカメラ４３によって撮影されてクライアント装置４０からサーバー装置２０に送信されてくる画像である。
【００３４】
「顔一部画像」領域６３に表示される顔一部画像は、クライアント装置４０のビデオカメラ４３によって撮影されてクライアント装置４０からサーバー装置２０に送信されてくる画像に基づいて生成される画像である。ここで、「顔一部画像」領域６３に表示される顔一部画像は、「運転者顔画像」領域６２に表示される顔画像の中の対応する部分よりも拡大して表示される。ＰＣ２１は、この拡大の倍率を操作部２６を介して点呼執行者から任意に指定することが可能である。
【００３５】
「運転者顔画像」領域６４に表示される顔画像は、ビデオカメラ２３によって撮影されている画像である。
【００３６】
次に、点呼システム１０の動作について説明する。
【００３７】
クライアント装置４０は、運転者の社員番号および氏名を含む各種の情報が例えば操作部４６から入力されることによって、運転者から点呼の要求の指示を受けることができるようになっている。したがって、運転者が運転者自身の社員番号および氏名を含む各種の情報を入力し、点呼の要求をクライアント装置４０に指示すると、クライアント装置４０のＰＣ４１は、点呼の要求を通信部４７を介してサーバー装置２０に送信する。ここで、ＰＣ４１は、点呼の要求をサーバー装置２０に送信するとき、クライアント装置４０自身の識別情報と、運転者によって入力された運転者自身の社員番号および氏名とを含む各種の情報とを、点呼の要求とともにサーバー装置２０に送信する。
【００３８】
サーバー装置２０のＰＣ２１は、点呼の要求をクライアント装置４０から受信すると、図５に示す処理を開始する。
【００３９】
図５は、点呼の要求をクライアント装置４０から受信したときのサーバー装置２０のＰＣ２１の動作のフローチャートである。
【００４０】
図５に示すように、ＰＣ２１は、警報器２８および呼出灯２９を駆動することによって、警報器２８による音の出力と、呼出灯２９による発光とで点呼の要求の受信を点呼執行者に通知する（Ｓ８１）。
【００４１】
次いで、ＰＣ２１は、点呼の開始が指示されたか否かを判断する（Ｓ８２）。ここで、点呼執行者は、サーバー装置２０の操作部２６から例えば点呼開始釦を押下するなどして点呼の開始をサーバー装置２０に指示することができる。
【００４２】
ＰＣ２１は、点呼の開始が指示されなかったとＳ８２において判断すると、再びＳ８１の処理を実行する。
【００４３】
一方、ＰＣ２１は、点呼の開始が指示されたとＳ８２において判断すると、点呼の要求を送信してきたクライアント装置４０（以下「対象クライアント装置」という。）に通信部２７を介して点呼の開始を通知する（Ｓ８３）。ここで、対象クライアント装置のＰＣ４１は、点呼の開始をサーバー装置２０から受信すると、サーバー装置２０のマイク２２で取得された音声をスピーカ４４に出力するとともに、サーバー装置２０のビデオカメラ２３で撮影された画像をモニタ４５に表示することで点呼の開始を運転者に通知する。
【００４４】
次いで、ＰＣ２１は、対象クライアント装置から点呼の要求とともに受信した各種の情報をモニタ２５の「運転者情報」領域６１に表示する（Ｓ８４）。ここで、ＰＣ２１は、対象クライアント装置から受信した各種の情報のうち、クライアント装置４０の識別情報を「営業所、支部」領域６１ａに、運転者の社員番号を「社員番号」領域６１ｂに、運転者の氏名を「氏名」領域６１ｃに表示する。
【００４５】
次いで、ＰＣ２１は、対象クライアント装置のマイク４２によって取得された音をスピーカ２４から出力することと、対象クライアント装置のビデオカメラ４３によって撮影された画像をモニタ２５の「運転者顔画像」領域６２に表示することとを開始する（Ｓ８５）。ここで、ＰＣ２１は、対象クライアント装置のマイク４２によって取得され、対象クライアント装置からサーバー装置２０に送信されてくる音を通信部２７で受信してスピーカ２４から出力する。また、ＰＣ２１は、対象クライアント装置のビデオカメラ４３によって撮影されて対象クライアント装置からサーバー装置２０に送信されてくる画像を通信部２７で受信してモニタ２５の「運転者顔画像」領域６２に表示する。
【００４６】
次いで、ＰＣ２１は、対象クライアント装置のビデオカメラ４３によって撮影された画像に基づいて運転者の顔一部画像をモニタ２５の「顔一部画像」領域６３に表示することを開始する（Ｓ８６）。ここで、ＰＣ２１は、モニタ２５の「運転者顔画像」領域６２に表示する画像から運転者の顔一部画像を抽出し、抽出した顔一部画像をモニタ２５の「顔一部画像」領域６３に表示する。
【００４７】
ここで、対象クライアント装置から受信した画像から運転者の顔一部画像をＰＣ２１が抽出する方法について説明する。
【００４８】
図６は、ＰＣ２１による顔一部画像の抽出方法を示す図である。
【００４９】
ＰＣ２１は、図６に四角形の枠７１で示すように、対象クライアント装置から受信した画像から画像認識によって運転者の顔を抽出する。顔の抽出は、例えば特徴量を使用したカスケード型識別器による公知の方法によって行われる。
【００５０】
次いで、ＰＣ２１は、図６に四角形の枠７２で示すように、抽出された顔の画像から顔一部画像を抽出する。例えば、ＰＣ２１は、枠７１によって囲まれた領域の上半分の領域のうち、下半分の領域を囲むように枠７２を決定する。運転者の顔が一般的な顔である場合、枠７２によって囲まれた領域には、運転者の目や目の周辺が含まれる。
【００５１】
なお、ＰＣ２１は、図６に示すような枠７１、７２を「運転者顔画像」領域６２に表示するか否かを操作部２６を介して点呼執行者から任意に設定されることが可能である。
【００５２】
図５に示すように、ＰＣ２１は、Ｓ８６の処理の後、ビデオカメラ２３によって撮影されている画像をモニタ２５の「点呼執行者顔画像」領域６４に表示することを開始する（Ｓ８７）。
【００５３】
次いで、ＰＣ２１は、マイク２２によって取得されている音を対象クライアント装置に送信することと、ビデオカメラ２３によって撮影されている画像を対象クライアント装置に送信することとを開始する（Ｓ８８）。これによって、対象クライアント装置のＰＣ４１は、サーバー装置２０のマイク２２によって取得されている音をスピーカ４４に出力させることができるとともに、サーバー装置２０のビデオカメラ２３によって撮影されている画像をモニタ４５に表示させることができる。
【００５４】
次いで、ＰＣ２１は、点呼の完了が指示されたと判断するまで、点呼の完了が指示されたか否かを判断する（Ｓ８９）。点呼執行者は、サーバー装置２０の操作部２６から例えば点呼完了釦を押下するなどして点呼の完了をサーバー装置２０に指示することができる。
【００５５】
ＰＣ２１は、点呼の完了が指示されたとＳ８９において判断すると、ネットワーク網１１を介して対象クライアント装置に指示を送信することによって、対象クライアント装置との通信を終了して（Ｓ９０）、図５に示す処理を終了する。
【００５６】
以上に説明したように、点呼システム１０は、サーバー装置２０がクライアント装置４０から受信した音をスピーカ２４に出力するとともに、サーバー装置２０がクライアント装置４０から受信した画像をモニタ２５の「運転者顔画像」領域６２に表示するので、運転者の様子を点呼執行者に確認させることができる。したがって、点呼執行者は、運転者の様子を確認して運転者の話し方、声、顔色などから運転者の体調などを感じながら、点呼を進めることができる。
【００５７】
また、点呼システム１０は、サーバー装置２０がクライアント装置４０から受信した画像から運転者の顔の一部の画像を抽出してモニタ２５の「顔一部画像」領域６３に表示するので、運転者の顔の一部を点呼執行者に従来より容易に確認させることができる。
【００５８】
また、点呼システム１０は、サーバー装置２０のモニタ２５が顔一部画像を顔画像とは別に顔画像の中の対応する部分よりも拡大して表示するので、顔画像の表示によって運転者の顔の全体を点呼執行者に確認させることができるとともに、顔画像の中の対応する部分よりも拡大して表示された顔一部画像によって運転者の顔の一部を点呼執行者に容易に確認させることができる。
【００５９】
また、点呼システム１０は、顔一部画像が運転者の目を含んだ画像であるので、運転者の健康状態が顕著に現れ易い運転者の目を顔一部画像の表示によって点呼執行者に容易に確認させることができる。例えば、点呼執行者は、顔一部画像の表示によって運転者の目の充血を容易に確認することができる。目の充血は、例えば、睡眠不足や眼精疲労など、様々な原因によって生じる。
【００６０】
また、点呼システム１０は、顔一部画像が運転者の目の周辺を含んだ画像であるので、目と同様に、運転者の健康状態が顕著に現れ易い運転者の目の周辺を顔一部画像の表示によって点呼執行者に容易に確認させることができる。例えば、点呼執行者は、顔一部画像の表示によって運転者の目の下のくまを容易に確認することができる。目の下のくまは、例えば、睡眠不足や人工透析者や糖尿病など、様々な原因によって生じる。
【００６１】
なお、以上においては、サーバー装置２０およびクライアント装置４０のコンピュータがＰＣによって構成されている例について説明したが、サーバー装置２０およびクライアント装置４０の少なくとも一方のコンピュータがＰＣ以外のコンピュータによって構成されていても良い。例えば、サーバー装置２０およびクライアント装置４０は、コンピュータが携帯電話機などの携帯通信機器や、ＩＰネットワークカメラ・マイク端末によって構成されていても良い。
【００６２】
また、「顔一部画像」領域６３は、本実施の形態において、「運転者情報」領域６１、「運転者顔画像」領域６２および「点呼執行者顔画像」領域６４と同一のウィンドウに含まれているが、「運転者情報」領域６１、「運転者顔画像」領域６２および「点呼執行者顔画像」領域６４が含まれるウィンドウとは独立した別のウィンドウに含まれるようになっていても良い。「顔一部画像」領域６３は、「運転者顔画像」領域６２中の運転者の顔の大きさや向きなどによってリアルタイムに大きさが変化するので、独立したウィンドウに含まれることが好ましい。
【００６３】
また、「顔一部画像」領域６３に表示される顔一部画像は、本実施の形態において、運転者の目の周辺を含んだ画像であるが、目のみからなる画像であっても良い。
【００６４】
また、「顔一部画像」領域６３に表示される顔一部画像は、本実施の形態において、運転者の目を含んだ画像であるが、運転者の顔のパーツのうち、運転者の健康状態が現れるパーツであれば、目以外のパーツの画像であっても良い。例えば、「顔一部画像」領域６３に表示される顔一部画像は、運転者の口の画像であっても良い。例えば、点呼執行者は、運転者の唇の色を運転者の健康状態の判断材料の１つにすることができる。
【００６５】
また、ＰＣ２１は、顔画像から顔一部画像を抽出する画像認識の方法として、本実施の形態において示した方法以外の方法を採用しても良い。
【００６６】
また、点呼システム１０は、本実施の形態において、クライアント装置４０にもモニタ４５が備えられているが、クライアント装置４０にモニタ４５が備えられていなくても良い。例えば、点呼執行者と運転者とが近距離で直接対話する場合に、点呼執行者が運転者の目を直接注目することは点呼執行者にとっても運転者にとっても精神的に負担が大きいが、点呼システム１０を導入することによって、点呼執行者は、運転者の目をモニタ２５上で注目することができる。この場合、クライアント装置４０には、ビデオカメラ４３と、ビデオカメラ４３が撮影した画像をサーバー装置２０に送信するためのケーブルなどの通信部材とが備わっていれば良い。
【００６７】
また、点呼システム１０は、本実施の形態において運送業者によって導入されているが、導入者を運送業者に限るものではなく、例えば、点呼が法令によって義務付けられていない事業者や、旅客業者でも利用可能である。
【００６８】
なお、被点呼者は、本実施の形態において運転者であるが、運転者以外の者であっても良い。例えば、被点呼者は、乗物の車掌、ガイド、クルーなどの者であっても良い。
【符号の説明】
【００６９】
１０  点呼システム
２０  サーバー装置（点呼執行装置）
２１  ＰＣ（顔一部抽出手段）
２５  モニタ（画像表示手段）
２７  通信部（画像受信手段）
４０  クライアント装置（被点呼装置）
４３  ビデオカメラ（画像撮影手段）
４７  通信部（画像送信手段）
【図１】
2012141651.tif 000003
【図２】
2012141651.tif 000004
【図３】
2012141651.tif 000005
【図４】
2012141651.tif 000006
【図５】
2012141651.tif 000007
【図６】
2012141651.tif 000008
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
点呼を行う点呼執行者によって使用される点呼執行装置と、前記点呼が行われる被点呼者によって使用される被点呼装置とを備えており、
前記被点呼装置は、前記被点呼者の画像を撮影する画像撮影手段と、前記画像撮影手段によって撮影された画像を前記点呼執行装置に送信する画像送信手段とを備えており、
前記点呼執行装置は、前記画像送信手段によって送信された画像を受信する画像受信手段と、前記画像受信手段によって受信された画像から前記被点呼者の顔の一部の画像である顔一部画像を画像認識によって抽出する顔一部抽出手段と、前記顔一部抽出手段によって抽出された顔一部画像を表示する画像表示手段とを備えていることを特徴とする点呼システム。
【請求項２】
前記画像表示手段は、前記被点呼者の顔を含んだ画像である顔画像を前記顔一部画像とは別に表示し、前記顔一部画像を前記顔画像の中の対応する部分よりも拡大して表示することを特徴とする請求項１に記載の点呼システム。
【請求項３】
前記顔一部画像は、前記被点呼者の目を含んだ画像であることを特徴とする請求項１または請求項２に記載の点呼システム。
【請求項４】
前記顔一部画像は、前記被点呼者の目の周辺を含んだ画像であることを特徴とする請求項３に記載の点呼システム。
【請求項５】
点呼を行う点呼執行者によって使用される点呼執行装置と、前記点呼が行われる被点呼者によって使用される被点呼装置とを備えており、前記被点呼者の画像を撮影する画像撮影手段と、前記画像撮影手段によって撮影された画像を前記点呼執行装置に送信する画像送信手段とを前記被点呼装置が備えている点呼システムの前記点呼執行装置を機能させるための点呼執行装置用プログラムであって、
前記画像送信手段によって送信された画像を受信する画像受信手段、前記画像受信手段によって受信された画像から前記被点呼者の顔の一部の画像である顔一部画像を画像認識によって抽出する顔一部抽出手段、および、前記顔一部抽出手段によって抽出された顔一部画像を表示する画像表示手段として前記点呼執行装置を機能させることを特徴とする点呼執行装置用プログラム。
【請求項６】
前記画像表示手段は、前記被点呼者の顔を含んだ画像である顔画像を前記顔一部画像とは別に表示し、前記顔一部画像を前記顔画像の中の対応する部分よりも拡大して表示することを特徴とする請求項５に記載の点呼執行装置用プログラム。
【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
点呼を行う点呼執行者によって使用される点呼執行装置と、前記点呼が行われる被点呼者によって使用される被点呼装置とを備えており、
前記被点呼装置は、前記被点呼者の画像を撮影する画像撮影手段と、前記画像撮影手段によって撮影された画像を前記点呼執行装置に送信する画像送信手段とを備えており、
前記点呼執行装置は、前記画像送信手段によって送信された画像を受信する画像受信手段と、前記画像受信手段によって受信された画像から前記被点呼者の顔の一部の画像である顔一部画像を画像認識によって抽出する顔一部抽出手段と、前記顔一部抽出手段によって抽出された顔一部画像を表示する画像表示手段とを備えており、
前記画像表示手段は、前記被点呼者の顔を含んだ画像である顔画像を前記顔一部画像とは別に表示し、前記顔一部画像を前記顔画像の中の対応する部分よりも拡大して表示することを特徴とする点呼システム。
【請求項２】
前記顔一部画像は、前記被点呼者の目を含んだ画像であることを特徴とする請求項１に記載の点呼システム。
【請求項３】
前記顔一部画像は、前記被点呼者の目の周辺を含んだ画像であることを特徴とする請求項２に記載の点呼システム。
【請求項４】
点呼を行う点呼執行者によって使用される点呼執行装置と、前記点呼が行われる被点呼者によって使用される被点呼装置とを備えており、前記被点呼者の画像を撮影する画像撮影手段と、前記画像撮影手段によって撮影された画像を前記点呼執行装置に送信する画像送信手段とを前記被点呼装置が備えている点呼システムの前記点呼執行装置を機能させるための点呼執行装置用プログラムであって、
前記画像送信手段によって送信された画像を受信する画像受信手段、前記画像受信手段によって受信された画像から前記被点呼者の顔の一部の画像である顔一部画像を画像認識によって抽出する顔一部抽出手段、および、前記顔一部抽出手段によって抽出された顔一部画像を表示する画像表示手段として前記点呼執行装置を機能させ、
前記画像表示手段は、前記被点呼者の顔を含んだ画像である顔画像を前記顔一部画像とは別に表示し、前記顔一部画像を前記顔画像の中の対応する部分よりも拡大して表示することを特徴とする点呼執行装置用プログラム。